(57)【特許請求の範囲】
【請求項１】
間隔を置いて設置された建物ユニット間の離し置きスペースの上方に複数の屋根パネルが目地を挟んで並べられて構築される屋根に使用される屋根パネルであって、
パネルの主構造体となるパネル本体部と、
前記パネル本体部の下面側を覆うように取り付けられる天井面材と、
前記目地側の前記天井面材の側縁に沿って取り付けられて、前記天井面材の下方から隣に設置される屋根パネルの下方までを覆う見切り材とを備え、
前記パネル本体部は、周縁に配置される梁材によって形成されるとともに、前記離し置きスペースに面した前記建物ユニットの上面に載置可能な突出片が前記梁材に固定されることを特徴とする屋根パネル。
【請求項２】
前記突出片には、前記建物ユニットの上面に穿孔された取付孔に対応する位置に位置決め孔が穿孔されていることを特徴とする請求項１に記載の屋根パネル。
【請求項３】
間隔を置いて設置された建物ユニット間の離し置きスペースの上方に複数の屋根パネルが目地を挟んで並べられて構築される屋根に使用される屋根パネルであって、
パネルの主構造体となるパネル本体部と、
前記パネル本体部の下面側を覆うように取り付けられる天井面材と、
前記目地側の前記天井面材の側縁に沿って取り付けられて、前記天井面材の下方から隣に設置される屋根パネルの下方までを覆う見切り材とを備え、
前記見切り材は、断面視逆Ｔ字形に成形されることを特徴とする屋根パネル。
【請求項４】
前記見切り材は、前記目地の幅よりも広い帯状に形成されるとともに前記天井面材と略平行に配置される目隠し板部と、その目隠し板部から上方に延出されて前記パネル本体部の側縁に固定される垂直壁部とを有することを特徴とする請求項１乃至３のいずれか一項に記載の屋根パネル。
【請求項５】
前記パネル本体部には、内部を横断する界壁が設けられていることを特徴とする請求項１乃至４のいずれか一項に記載の屋根パネル。
【請求項６】
請求項１乃至５のいずれか一項に記載の屋根パネルを前記離し置きスペースの上方から吊り降ろして前記建物ユニット間に架け渡し、
設置された前記屋根パネルの前記見切り材が取り付けられた側の隣に、別の屋根パネルを上方から吊り降ろして設置することを特徴とするユニット建物の構築方法。
【発明の詳細な説明】
【技術分野】
【０００１】
本発明は、間隔を置いて設置された建物ユニット間の離し置きスペースの上方に架け渡される屋根パネル、及びそれを使用したユニット建物の構築方法に関するものである。
【背景技術】
【０００２】
従来、工場で製作された複数の建物ユニットを、横方向及び縦方向に連結して構築するユニット建物が知られている。また、間隔を置いて建物ユニットを設置し、その建物ユニット間の離し置きスペースに屋外階段などを配置するレイアウトが知られている（特許文献１，２参照）。
【０００３】
そして、特許文献１，２には、離し置きスペースの上方を覆う屋根ユニット（又は屋根パネル）を建物ユニット間に架け渡す構造が開示されている。すなわち、工場で製作されて現地まで搬送されてきた屋根ユニット（又は屋根パネル）をクレーンで吊り上げ、間隔を置いて据え付けられた建物ユニット間に設置することが記載されている。
【先行技術文献】
【特許文献】
【０００４】
【特許文献１】特開平７−１８７４５号公報
【特許文献２】特開平８−１３６１２号公報
【発明の概要】
【発明が解決しようとする課題】
【０００５】
しかしながら、特許文献１に開示された屋根ユニットには天井面材が取り付けられていないため、地上から３階天井高さまでの足場を組まなければ、屋根ユニットの下面側に天井面材の取り付けをおこなうことができない。
【０００６】
他方、特許文献２に開示された屋根パネルは、下面側に天井面材が取り付けられた状態で吊り上げられて設置されるが、隣接する屋根パネルの天井面材間には目地（隙間）が発生することになる。この目地を隠すために、後から見切り材を設置する場合は、特許文献２のように２階の床がある場合は、脚立程度の足場で取付け作業をおこなうことができるが、特許文献１のように地上から３階天井高さまでの吹き抜けになっている場合は高層の足場を組まなければならず、大掛りな作業になる。
【０００７】
そこで、本発明は、足場を組まなくとも隣接する屋根パネルの天井面材間に発生する目地を隠すことが可能な屋根パネル、及びそれを使用したユニット建物の構築方法を提供することを目的としている。
【課題を解決するための手段】
【０００８】
前記目的を達成するために、本発明の屋根パネルは、間隔を置いて設置された建物ユニット間の離し置きスペースの上方に複数の屋根パネルが目地を挟んで並べられて構築される屋根に使用される屋根パネルであって、パネルの主構造体となるパネル本体部と、前記パネル本体部の下面側を覆うように取り付けられる天井面材と、前記目地側の前記天井面材の側縁に沿って取り付けられて、前記天井面材の下方から隣に設置される屋根パネルの下方までを覆う見切り材とを備えていることを特徴とする。
【０００９】
ここで、前記見切り材は、前記目地の幅よりも広い帯状に形成されるとともに前記天井面材と略平行に配置される目隠し板部と、その目隠し板部から上方に延出されて前記パネル本体部の側縁に固定される垂直壁部とを有する構造にすることができる。
【００１０】
また、前記パネル本体部は、周縁に配置される梁材によって形成されるとともに、前記離し置きスペースに面した前記建物ユニットの上面に載置可能な突出片が前記梁材に固定される構成にすることができる。
【００１１】
さらに、前記突出片には、前記建物ユニットの上面に穿孔された取付孔に対応する位置に位置決め孔が穿孔されていることが好ましい。また、前記パネル本体部には、内部を横断する界壁が設けられていてもよい。
【００１２】
さらに、本発明のユニット建物の構築方法は、上記したいずれかの屋根パネルを前記離し置きスペースの上方から吊り降ろして前記建物ユニット間に架け渡し、設置された前記屋根パネルの前記見切り材が取り付けられた側の隣に、別の屋根パネルを上方から吊り降ろして設置することを特徴とする。
【発明の効果】
【００１３】
このように構成された本発明の屋根パネルは、離し置きスペースの上方に並べられる複数の屋根パネルの少なくとも一枚である。この屋根パネルには天井面材が取り付けられているとともに、隣接する屋根パネルとの目地を下方から覆う見切り材が取り付けられている。
【００１４】
このため、この屋根パネルを使用して屋根を構築するのであれば、天井面材があらかじめ取り付けられているうえに、隣接する屋根パネルの天井面材間に発生する目地を下方から覆い隠すことが可能な見切り材を備えているので、屋根パネルの下方に足場を組む必要のある作業が発生しない。
【００１５】
また、見切り材は、目地の幅よりも広い目隠し板部と、その上方に延出されてパネル本体部の側縁に固定される垂直壁部とを有しているため、あらかじめ天井面材より下方に目隠し板部の一部が配置されるようにパネル本体部に固定しておくだけで、屋根パネル間の目地の目隠しをおこなうことができる。
【００１６】
さらに、パネル本体部の周縁を梁材によって形成し、その梁材に建物ユニットの上面に載置可能な突出片を固定しておけば、離し置きスペースの上方から吊り降ろすだけで容易に屋根パネルを建物ユニット間に架け渡すことができる。ここで、その突出片に位置決め孔が穿孔されていれば、屋根パネルの位置合わせを容易におこなうことができる。
【００１７】
また、屋根パネルを横断する界壁があらかじめ設けられていれば、屋根パネルを設置するだけで防火構造を形成することができる。
【００１８】
そして、このような屋根パネルを建物ユニット間に先に架け渡せば、後から建物ユニット間に架け渡される屋根パネルとの間の目地を下方から視認不能にすることができる。
【図面の簡単な説明】
【００１９】
【図１】本発明の実施の形態の屋根パネルを使って構築された屋根の構成を説明する断面図である。
【図２】離し置きスペースを備えたユニット建物を模式的に説明する平面図である。
【図３】屋根パネルの構成を説明する平面図である。
【図４】見切り材の構成を説明する斜視図である。
【図５】屋根パネルに固定された突出片と建物ユニットとの位置関係を説明する断面図である。
【図６】建物ユニットに屋根パネルを固定する箇所の構造を説明する断面図である。
【図７】図６のＢ−Ｂ矢視方向で見た平面図である。
【発明を実施するための形態】
【００２０】
以下、本発明の実施の形態について図面を参照して説明する。図１は、図２のＡ−Ａ矢視方向で見た本実施の形態の屋根パネル２を使った屋根１０１の構成を説明する断面図である。
【００２１】
まず、図２を参照しながらユニット建物１０の構成から説明すると、このようなユニット建物１０は、工場で製作される複数の建物ユニット１Ａ−１Ｊを現地で連結することによって構築される。
【００２２】
また、このユニット建物１０を構成する建物ユニット１Ａ（１Ｂ）と建物ユニット１Ｅ（１Ｆ）とは間隔を置いて設置されており、この間の空間が離し置きスペース１０２となる。
【００２３】
このようにして構築されるユニット建物１０は、アパートなどのような集合住宅として使用され、２階建てや３階建てなどの複層構造となる。そして、離し置きスペース１０２には、下層階と上層階とを行き来するための階段などが設けられる。また、この離し置きスペース１０２の上方には、屋根１０１が構築される。
【００２４】
この屋根１０１は、図２に示すように、建物ユニット１Ｂ，１Ｆ間に架け渡された屋根パネル２と、建物ユニット１Ａ，１Ｅ間に架け渡された屋根パネル２Ａとによって主に構成される。また、図１に示すように、屋根パネル２と屋根パネル２Ａとの間には目地２８（隙間）が介在される。
【００２５】
図３は、屋根パネル２の平面図を示している。この屋根パネル２は、図１，３に示すように、パネルの主構造体となるパネル本体部２０と、パネル本体部２０の下面側を覆うように取り付けられる天井面材としての天井パネル２４と、屋根パネル２の一側縁に沿って取り付けられる見切り材４とを主に備えている。
【００２６】
このパネル本体部２０は、平面視長方形の外郭（周縁）を形成する短辺側の梁材としての一対の妻梁２１，２１と、長辺側の梁材としての一対の桁梁２２，２２とによって主に構成される。また、パネル本体部２０には、桁梁２２，２２間に妻梁２１に略平行に差し渡される複数の天井根太２３，・・・と、天井根太２３，・・・の下面側に固定される天井下地材２５とが設けられる。
【００２７】
妻梁２１及び桁梁２２は、図１に示すように断面視コ字形の鋼材によって形成される。また、天井根太２３は、桁梁２２の下側フランジに架け渡す端部が切り欠かれた断面視長方形の木材によって形成される。
【００２８】
さらに、天井下地材２５は、平面視長方形に形成されており、パネル本体部２０の下面側を塞ぐことができる枚数が配置され、天井根太２３，・・・に釘などによって固定される。
【００２９】
そして、この天井下地材２５の下方を覆うように天井パネル２４が配置される。この天井パネル２４は、図１，５に示すように、妻梁２１及び桁梁２２の下部に取り付けられた固定金具２４ａ，２４ｂ，２４ｃ，２４ｄによって側縁が支持されて、天井下地材２５の下方に配置される。
【００３０】
また、屋根パネル２には、図３に示すように、パネル本体部２０を横断するように桁梁２２，２２間に界壁３が設けられる。この界壁３は、図２に示すように屋内側の界壁３Ａに繋がるような位置に設けられる。このように連続する界壁３，３Ａによって、ユニット建物１０に防火区画が形成される。
【００３１】
そして、図３に示すように、屋根パネル２の目地２８側の桁梁２２に沿って見切り材４を取り付ける。この見切り材４は、図１，４に示すように、目地２８の幅よりも広い帯状に形成された目隠し板部４１と、その目隠し板部４１から上方に延出される垂直壁部４２とを主に備えた断面視逆Ｔ字形に成形される。
【００３２】
この見切り材４は、図４に示すように一枚の鋼板（例えば、塩化ビニルで被覆された鋼板）を折り曲げ加工することによって製作される。すなわち、帯状の鋼板の一方の側縁を上方に折り曲げて折返し部４４を形成し、その折返し部４４に繋がる最下面となる目隠し板部４１の他方の側縁を上方に折り曲げて接続部４３を形成する。そして、目隠し板部４１の上面に幅の４分の１程度を重ねた接続部４３の側縁を上方に直角に折り曲げ、目隠し板部４１と略直交するような垂直壁部４２を形成する。
【００３３】
見切り材４は、図１に示すように、垂直壁部４２を桁梁２２の外側面に密着させてドリルねじなどで固定する。このように見切り材４をパネル本体部２０の側縁に固定すると、目隠し板部４１は天井パネル２４の下方にそれと略平行に配置される。
【００３４】
また、目隠し板部４１は、屋根パネル２の天井パネル２４の側縁から目地２８を挟んで隣接する屋根パネル２Ａの天井パネル２４の側縁までを覆い隠すように配置される。
【００３５】
さらに、見切り材４の目隠し板部４１の上方には、ロックウール２６を取り付ける。このようにロックウール２６をあらかじめ取り付けておくことで、屋根パネル２，２Ａを設置するだけで、屋根パネル２，２Ａ間にロックウール２６が介在されることになる。
【００３６】
図３に示すように、屋根パネル２の妻梁２１には、複数のガイドプレート５，５が固定される。このガイドプレート５は、図５に示すように、突出片５１と固定片５２とが略直交する側面視逆Ｌ字状の金具である。
【００３７】
ガイドプレート５の固定片５２を妻梁２１の外側面に密着させて溶接などで固定すると、突出片５１が外側に張り出されて建物ユニット１Ｂの天井梁１１の上面に載置可能になる。
【００３８】
また、突出片５１には、図３に示すように位置決め孔５１ａが穿孔されている。図５に示すように、天井梁１１の上側フランジに穿孔された取付孔１１ａと突出片５１の位置決め孔５１ａとの位置合わせをおこない、ビス５３を位置決め孔５１ａ及び取付孔１１ａに捩じ込むことで、正確な位置に屋根パネル２が固定される。
【００３９】
なお、屋根パネル２Ａの構成は、見切り材４周辺を除いては屋根パネル２の構成とほぼ同じであるため、詳細な説明は省略する。すなわち、屋根パネル２Ａには屋根パネル２以外に隣接する屋根パネルがないため、見切り材４の取り付けは行わない。また、軒先側の屋根パネル２Ａには、図１に示すように庇部２７を設ける。
【００４０】
屋根パネル２，２Ａの固定は、建物ユニット１Ａ，１Ｂ，１Ｅ，１Ｆの柱１２，・・・に対して行う。図６，７は、屋根パネル２，２Ａと柱１２との連結構造の詳細を示した図で、図６は断面図、図７は図６のＢ−Ｂ矢視方向で見た平面図である。
【００４１】
建物ユニット１Ａ，１Ｂ，１Ｅ，１Ｆの柱１２の上部には、離し置きスペース１０２に対面する側面に連結金具６が取り付けられる。この連結金具６は、屋根パネル２（２Ａ）側に配置される板状の座板部６ｂと、座板部６ｂに開口が塞がれるように固定される平面視略Ｕ字形のＵ字部６ａとを有している。
【００４２】
このＵ字部６ａの底部を柱１２の側面に密着させてボルト６３，６３によって柱１２に固定する。すなわち、柱１２の内部には、座金６４が取り付けられており、高さ方向に間隔を置いてＵ字部６ａの内側から挿入されたボルト６３，６３を座金６４に捩じ込むことによって、連結金具６が柱１２に固定される。
【００４３】
一方、Ｕ字部６ａの内側となる座板部６ｂ表面の高さ方向の略中央位置にナット６２を溶接などで固定し、屋根パネル２（２Ａ）の妻梁２１の内側から挿入されたボルト６１をナット６２に捩じ込むことによって、屋根パネル２（２Ａ）が連結金具６に固定される。この結果、屋根パネル２（２Ａ）が、連結金具６を介して柱１２に固定される。
【００４４】
次に、本実施の形態の屋根パネル２を使用したユニット建物１０の構築方法について説明する。
【００４５】
まず、工場において、建物ユニット１Ａ−１Ｊ及び屋根パネル２，２Ａを製作する。屋根パネル２，２Ａの下面には、天井パネル２４が取り付けられる。また、屋根パネル２の一側縁に沿って、見切り材４が取り付けられる。
【００４６】
一方、ユニット建物１０を構築する現地では、工場から搬送されてきた建物ユニット１Ａ−１Ｊが、図２に示すような位置に吊り降ろされる。ここで、建物ユニット１Ａ，１Ｅ間及び建物ユニット１Ｂ，１Ｆ間には離し置きスペース１０２が形成される。
【００４７】
そして、工場から搬送されてきた屋根パネル２をクレーンで吊り上げ、離し置きスペース１０２の上方から吊り降ろし、建物ユニット１Ｂ，１Ｆ間に屋根パネル２を架け渡す。
【００４８】
ここで、屋根パネル２の妻梁２１（２１）には、図３に示すように建物ユニット１Ｂ（１Ｆ）側に張り出された突出片５１，５１が取り付けられている。この突出片５１を、図５に示すように建物ユニット１Ｂ（１Ｆ）の天井梁１１の上面に載せ、突出片５１の位置決め孔５１ａを天井梁１１の取付孔１１ａの位置に合わせてビス５３を捩じ込んで固定する。このような建物ユニット１Ｂ（１Ｆ）に隣接した位置の上からの作業は、建物ユニット１Ｂ（１Ｆ）を足場にしておこなうことができる。
【００４９】
このようにして建物ユニット１Ｂ，１Ｆ間に架け渡された屋根パネル２は、正確な位置に配置される。そして、その屋根パネル２の横に屋根パネル２Ａを吊り降ろし、建物ユニット１Ａ，１Ｅ間に架け渡す。
【００５０】
ここで、先に設置された屋根パネル２の屋根パネル２Ａ側の側縁には見切り材４が取り付けられている。このため、見切り材４の目隠し板部４１の上方に屋根パネル２Ａを降ろすだけで、屋根パネル２，２Ａ間の目地２８が図１に示すように目隠し板部４１によって覆い隠され、下方からの目地２８の視認が不能になる。
【００５１】
続いて、屋根パネル２，２Ａを連結金具６，・・・を介して建物ユニット１Ａ，１Ｂ，１Ｅ，１Ｆの柱１２，・・・に固定する。そして、屋根パネル２，２Ａの上面に折板１４を葺いて屋根１０１を完成させる。
【００５２】
次に、本実施の形態の屋根パネル２及びそれを使用したユニット建物１０の構築方法の作用について説明する。
【００５３】
このように構成された本実施の形態の屋根パネル２は、離し置きスペース１０２の上方に並べられる複数の屋根パネル２，２Ａの少なくとも一枚である。この屋根パネル２には天井パネル２４が取り付けられているとともに、隣接する屋根パネル２Ａとの目地２８を下方から覆う見切り材４が取り付けられている。
【００５４】
このため、この屋根パネル２を使用して屋根１０１を構築するのであれば、天井パネル２４があらかじめ取り付けられているうえに、隣接する屋根パネル２Ａとの天井パネル２４，２４間に発生する目地２８を下方から覆い隠すことが可能な見切り材４を備えているので、屋根パネル２，２Ａの下方に足場を組む必要のある作業が発生しない。
【００５５】
また、見切り材４は、目地２８の幅よりも広い目隠し板部４１と、その上方に延出されてパネル本体部２０の側縁に固定される垂直壁部４２とを有しているため、あらかじめ天井パネル２４より下方に目隠し板部４１の側縁（接続部４３）が配置されるようにパネル本体部２０に固定しておくだけで、屋根パネル２，２Ａ間の目地２８の目隠しをおこなうことができる。
【００５６】
さらに、パネル本体部２０の周縁を妻梁２１，２１及び桁梁２２，２２によって形成し、妻梁２１に建物ユニット１Ａ，１Ｂ，１Ｅ，１Ｆの上面に載置可能な突出片５１，・・・を固定しておけば、離し置きスペース１０２の上方から吊り降ろすだけで容易に屋根パネル２，２Ａを建物ユニット１Ｂ，１Ｆ間（又は建物ユニット１Ａ，１Ｅ間）に架け渡すことができる。ここで、その突出片５１に位置決め孔５１ａが穿孔されていれば、天井梁１１の取付孔１１ａに合わせることで屋根パネル２，２Ａの位置合わせを容易におこなうことができる。
【００５７】
また、屋根パネル２，２Ａを横断する界壁３があらかじめ設けられていれば、屋根パネル２，２Ａを設置するだけで防火構造を形成することができる。
【００５８】
そして、このような屋根パネル２を建物ユニット１Ｂ，１Ｆ間に先に架け渡せば、後から建物ユニット１Ａ，１Ｅ間に架け渡される屋根パネル２Ａとの間の目地２８を下方から視認不能にすることができる。
【００５９】
以上、図面を参照して、本発明の実施の形態を詳述してきたが、具体的な構成は、この実施の形態に限らず、本発明の要旨を逸脱しない程度の設計的変更は、本発明に含まれる。
【００６０】
例えば、前記実施の形態では、妻梁２１，２１と桁梁２２，２２とが主構造となるパネル本体部２０について説明したが、これに限定されるものではなく、枠体に板材を貼り合わせて形成されたものをパネルの主構造とするパネル本体部であってもよい。
【００６１】
また、前記実施の形態では、天井面材として天井パネル２４について説明したが、これに限定されるものではなく、天井面として露出される天井仕上げ材であればよい。
【００６２】
さらに、前記実施の形態では、見切り材として断面視逆Ｔ字形の見切り材４について説明したが、これに限定されるものではなく、目地２８の幅より広い幅の目隠し板部４１に相当する構成があれば、屋根パネル２に固定する部分は壁状でなくてもよい。
【００６３】
また、前記実施の形態では、目隠し板部４１の上面と天井パネル２４の下面とを離隔させたが、これに限定されるものではなく、目隠し板部４１に相当する部分が天井面材の下面に密着するような構成であってもよい。
【符号の説明】
【００６４】
１０            ユニット建物
１Ａ−１Ｊ      建物ユニット
１１            天井梁
１１ａ          取付孔
２              屋根パネル
２０            パネル本体部
２１            妻梁（梁材）
２２            桁梁（梁材）
２４            天井パネル（天井面材）
２８            目地
３              界壁
４              見切り材
４１            目隠し板部
４２            垂直壁部
５１            突出片
１０１          屋根
１０２          離し置きスペース
【図１】
0005705024.tif 000002
【図２】
0005705024.tif 000003
【図３】
0005705024.tif 000004
【図４】
0005705024.tif 000005
【図５】
0005705024.tif 000006
【図６】
0005705024.tif 000007
【図７】
0005705024.tif 000008